(57)【要約】【課題】裏面印刷済の枚葉紙の給紙を円滑に行う。【解決手段】山状に積まれた裏面印刷済み枚葉紙（ｐ）をその最上層のものから下層のものへと順に印刷部（２６）へと給紙する際に、枚葉紙（ｐ）の山に向かってエアノズル（７ａ，７ｂ，７ｃ，７ｄ，７ｅ，７ｆ，７ｇ）からエアを吐出させる枚葉印刷機の給紙方法において、給紙方向に所定幅毎に測定した絵柄面積率の平均値と、適正な給紙に必要な上記エアの流量を得るためのバルブ開度との相関関係を予め求めておき、今回給紙する枚葉紙（ｐ）についての絵柄面積率の平均値を上記相関関係に照らすことによってバルブ開度を設定し、このバルブ開度に応じた流量のエアをエアノズル（７ａ，７ｂ，７ｃ，７ｄ，７ｅ，７ｆ，７ｇ）から吐出させつつ給紙する。【選択図】図３
2016130158.tif 000002
【特許請求の範囲】
【請求項１】
山状に積まれた裏面印刷済み枚葉紙をその最上層のものから下層のものへと順に印刷部へと給紙する際に、枚葉紙の山に向かってエアノズルからエアを吐出させる枚葉印刷機の給紙方法において、給紙方向に所定幅毎に測定した絵柄面積率の平均値と、適正な給紙に必要な上記エアの流量を得るためのバルブ開度との相関関係を予め求めておき、今回給紙する枚葉紙についての絵柄面積率の平均値を上記相関関係に照らすことによってバルブ開度を設定し、このバルブ開度に応じた流量のエアをエアノズルから吐出させつつ給紙することを特徴とする枚葉印刷機の給紙方法。
【請求項２】
請求項１に記載の枚葉印刷機の給紙方法において、エアノズルを枚葉印刷機のギアサイドとマンサイドとに各々配置し、マンサイドとギアサイドの各絵柄面積率の平均値を上記相関関係に照らすことによってバルブ開度を設定し、各バルブ開度に応じた流量のエアをギアサイドのエアノズルとマンサイドのエアノズルから各々吐出させつつ給紙することを特徴とする枚葉印刷機の給紙方法。
【請求項３】
請求項１又は請求項２に記載の枚葉印刷機の給紙方法において、上記相関関係を個々のバルブ毎に予め求めておき、今回給紙する枚葉紙についての絵柄面積率の平均値を各バルブについての相関関係に照らすことによって各バルブ開度を設定することを特徴とする枚葉印刷機の給紙方法。
【請求項４】
請求項１乃至請求項３のいずれかに記載の枚葉印刷機の給紙方法において、上記相関関係を枚葉紙の紙種別に予め求めておき、今回給紙する枚葉紙についての絵柄面積率の平均値を枚葉紙の紙種に対応する相関関係に照らすことによってバルブ開度を設定することを特徴とする枚葉印刷機の給紙方法。
【請求項５】
請求項１乃至請求項３のいずれかに記載の枚葉印刷機の給紙方法において、上記相関関係を枚葉紙のサイズ別に予め求めておき、今回給紙する枚葉紙についての絵柄面積率の平均値を枚葉紙のサイズに対応する相関関係に照らすことによってバルブ開度を設定することを特徴とする枚葉印刷機の給紙方法。
【請求項６】
請求項１乃至請求項３のいずれかに記載の枚葉印刷機の給紙方法において、上記相関関係を枚葉紙の斤量別に予め求めておき、今回給紙する枚葉紙についての絵柄面積率の平均値を枚葉紙の斤量に対応する相関関係に照らすことによってバルブ開度を設定することを特徴とする枚葉印刷機の給紙方法。
【請求項７】
請求項１乃至請求項３のいずれかに記載の枚葉印刷機の給紙方法において、上記相関関係を枚葉紙の紙目別に予め求めておき、今回給紙する枚葉紙についての絵柄面積率の平均値を枚葉紙の紙目に対応する相関関係に照らすことによってバルブ開度を設定することを特徴とする枚葉印刷機の給紙方法。
【請求項８】
山状に積まれた片面印刷済み枚葉紙をその最上層のものから下層のものへと順に印刷部へと給紙する際に、枚葉紙の山に複数個のエアノズルからエアを吹き付けることにより、給紙の適正化を図る枚葉印刷機の給紙装置において、給紙方向に所定幅毎に測定した絵柄面積率の平均値を求める絵柄面積率算出手段と、絵柄面積率算出手段により求めた絵柄面積率の平均値と適正な給紙に必要な上記エアの流量を得るためのバルブ開度との相関関係を求めるバルブ開度特性線設定手段と、今回給紙する枚葉紙について絵柄面積率算出手段により求めた絵柄面積率の平均値を上記相関関係に照らすことによってバルブ開度を設定し、このバルブ開度に応じた流量のエアをエアノズルから吐出させるエア流量制御手段とを具備したことを特徴とする枚葉印刷機の給紙装置。
【請求項９】
請求項８に記載の枚葉印刷機の給紙装置において、エアノズルが枚葉印刷機のギアサイドとマンサイドとに各々配置され、絵柄面積率算出手段により求められたギアサイドとマンサイドの各絵柄面積率の平均値が上記相関関係に照らされることによってバルブ開度が設定され、各開度に応じた流量のエアがギアサイドのエアノズルとマンサイドのエアノズルから各々吐出されるようにしたことを特徴とする枚葉印刷機の給紙装置。
【請求項１０】
請求項８又は請求項９に記載の枚葉印刷機の給紙装置において、絵柄面積率算出手段により上記相関関係が個々のバルブ毎に予め求められ、今回給紙する枚葉紙について絵柄面積率算出手段により求められた絵柄面積率の平均値が各バルブについての相関関係に照らされることによって各バルブ開度が設定されるようにしたことを特徴とする枚葉印刷機の給紙装置。
【請求項１１】
請求項８乃至請求項１０のいずれかに記載の枚葉印刷機の給紙装置において、絵柄面積率算出手段により上記相関関係が枚葉紙の紙種別に予め求められ、今回給紙する枚葉紙について絵柄面積率算出手段により求められた絵柄面積率の平均値が枚葉紙の紙種に対応する相関関係に照らされることによってバルブ開度を設定されるようにしたことを特徴とする枚葉印刷機の給紙装置。
【請求項１２】
請求項８乃至請求項１０のいずれかに記載の枚葉印刷機の給紙装置において、絵柄面積率算出手段により上記相関関係が枚葉紙のサイズ毎に予め求められ、今回給紙する枚葉紙について絵柄面積率算出手段により求められた絵柄面積率の平均値が枚葉紙のサイズに対応する相関関係に照らされることによってバルブ開度が設定されるようにしたことを特徴とする枚葉印刷機の給紙装置。
【請求項１３】
請求項８乃至請求項１０のいずれかに記載の枚葉印刷機の給紙装置において、絵柄面積率算出手段により上記相関関係が枚葉紙の斤量別に予め求められ、今回給紙する枚葉紙について絵柄面積率算出手段により求められた絵柄面積率の平均値が枚葉紙の斤量に対応する相関関係に照らされることによってバルブ開度が設定されるようにしたことを特徴とする枚葉印刷機の給紙装置。
【請求項１４】
請求項８乃至請求項１０のいずれかに記載の枚葉印刷機の給紙装置において、絵柄面積率算出手段により上記相関関係が枚葉紙の紙目別に予め求められ、今回給紙する枚葉紙について絵柄面積率算出手段により求められた絵柄面積率の平均値が枚葉紙の紙目に対応する相関関係に照らされることによってバルブ開度が設定されるようにしたことを特徴とする枚葉印刷機の給紙装置。
【発明の詳細な説明】
【技術分野】
【０００１】
本発明は、枚葉印刷機の給紙方法及び装置に関する。
【背景技術】
【０００２】
枚葉印刷機において、給紙部から枚葉紙を印刷部へと給紙するに際しては、枚葉紙の紙種、サイズ、斤量、厚さ、銘柄、紙目等の状況に応じて、給紙部における各部位の位置の調整や、吹足、捌き吹口、横捌き吹口といったエアノズルから吐出するエアの流量の調整が、オペレータによって行われている。
【０００３】
しかし、エアノズルから吹き出すエア流量の調整はオペレータの勘や経験に頼らざるを得ないので、その調整に手間と時間を要し、印刷効率が低下するという問題がある。
【０００４】
このような問題に対処するため、従来、用紙捌き吹口等のエアノズルにおけるエア量の調整を枚葉紙の紙種、サイズ等の用紙データに基づいて簡易に行おうとする方法が提案されている（たとえば、特許文献１参照）。
【先行技術文献】
【特許文献】
【０００５】
【特許文献１】特許第３８４２９３３号公報
【発明の概要】
【発明が解決しようとする課題】
【０００６】
しかし、上記従来の方法では、枚葉紙の紙種、サイズ、斤量、銘柄、紙目といった用紙特性に関するエア量の調整は可能であるかも知れないが、裏白、上がりといった印刷条件を考慮した調整は行うことができない。
【０００７】
すなわち、裏面が印刷された状態である枚葉紙をその表面に印刷をするために給紙する場合、従来の方法では適正な給紙を期し難く、エアノズルにおけるエア量の調整には未だオペレータのカンやコツを必要とするという問題がある。
【０００８】
そこで、本発明者が鋭意検討した結果、枚葉紙の裏面に印刷が行われている場合はその絵柄面積率に比例するように枚葉紙に紙癖が発生し、この紙癖に基づきエア量の調整を行うようにすれば適正な枚葉紙の給紙が可能になることを見出した。
【課題を解決するための手段】
【０００９】
本発明は、上記知見に基づいてなされたもので、次のような構成を採用する。
【００１０】
なお、本発明の理解を容易にするため参照符号をカッコ書きで付するが、本発明はこれに限定されるものではない。
【００１１】
すなわち、請求項１に係る発明は、山状に積まれた裏面印刷済み枚葉紙（ｐ）をその最上層のものから下層のものへと順に印刷部（２６）へと給紙する際に、枚葉紙（ｐ）の山に向かってエアノズル（７ａ，７ｂ，７ｃ，７ｄ，７ｅ，７ｆ，７ｇ）からエアを吐出させる枚葉印刷機の給紙方法において、給紙方向に所定幅毎に測定した絵柄面積率の平均値と、適正な給紙に必要な上記エアの流量を得るためのバルブ開度との相関関係を予め求めておき、今回給紙する枚葉紙（ｐ）についての絵柄面積率の平均値を上記相関関係に照らすことによってバルブ開度を設定し、このバルブ開度に応じた流量のエアをエアノズル（７ａ，７ｂ，７ｃ，７ｄ，７ｅ，７ｆ，７ｇ）から吐出させつつ給紙することを特徴とする。
【００１２】
請求項２に記載されるように、請求項１に記載の枚葉印刷機の給紙方法において、エアノズル（７ｄ，７ｅ，７ｆ，７ｇ）を枚葉印刷機のギアサイドとマンサイドとに各々配置し、ギアサイドとマンサイドの各絵柄面積率の平均値を上記相関関係に照らすことによってバルブ開度を設定し、各バルブ開度に応じた流量のエアをギアサイドのエアノズル（７ｄ，７ｅ）とマンサイドのエアノズル（７ｆ，７ｇ）から各々吐出させつつ給紙することも可能である。
【００１３】
請求項３に記載されるように、請求項１又は請求項２に記載の枚葉印刷機の給紙方法において、上記相関関係を個々のバルブ（１２ａ，１２ｂ，１２ｃ，１２ｄ，１２ｅ，１２ｆ，１２ｇ）毎に予め求めておき、今回給紙する枚葉紙（ｐ）についての絵柄面積率の平均値を各バルブ（１２ａ，１２ｂ，１２ｃ，１２ｄ，１２ｅ，１２ｆ，１２ｇ）についての相関関係に照らすことによって各バルブ開度を設定することも可能である。
【００１４】
請求項４に記載されるように、請求項１乃至請求項３のいずれかに記載の枚葉印刷機の給紙方法において、上記相関関係を枚葉紙（ｐ）の紙種別に予め求めておき、今回給紙する枚葉紙についての絵柄面積率の平均値を枚葉紙（ｐ）の紙種に対応する相関関係に照らすことによってバルブ開度を設定することも可能である。
【００１５】
請求項５に記載されるように、請求項１乃至請求項３のいずれかに記載の枚葉印刷機の給紙方法において、上記相関関係を枚葉紙（ｐ）のサイズ別に予め求めておき、今回給紙する枚葉紙（ｐ）についての絵柄面積率の平均値を枚葉紙（ｐ）のサイズに対応する相関関係に照らすことによってバルブ開度を設定することも可能である。
【００１６】
請求項６に記載されるように、請求項１乃至請求項３のいずれかに記載の枚葉印刷機の給紙方法において、上記相関関係を枚葉紙（ｐ）の斤量別に予め求めておき、今回給紙する枚葉紙（ｐ）についての絵柄面積率の平均値を枚葉紙（ｐ）の斤量に対応する相関関係に照らすことによってバルブ開度を設定することも可能である。
【００１７】
請求項７に記載されるように、請求項１乃至請求項３のいずれかに記載の枚葉印刷機の給紙方法において、上記相関関係を枚葉紙（ｐ）の紙目別に予め求めておき、今回給紙する枚葉紙（ｐ）についての絵柄面積率の平均値を枚葉紙（ｐ）の紙目に対応する相関関係に照らすことによってバルブ開度を設定することも可能である。
【００１８】
また、請求項８に記載の発明は、山状に積まれた片面印刷済み枚葉紙（ｐ）をその最上層のものから下層のものへと順に印刷部（２６）へと給紙する際に、枚葉紙（ｐ）の山に複数個のエアノズル（７ａ，７ｂ，７ｃ，７ｄ，７ｅ，７ｆ，７ｇ）からエアを吹き付けることにより、給紙の適正化を図る枚葉印刷機の給紙装置において、給紙方向に所定幅毎に測定した絵柄面積率の平均値を求める絵柄面積率算出手段（１３）と、絵柄面積率算出手段（１３）により求めた絵柄面積率の平均値と適正な給紙に必要な上記エアの流量を得るためのバルブ開度との相関関係を求めるバルブ開度特性線設定手段（１４）と、今回給紙する枚葉紙（ｐ）について絵柄面積率算出手段（１３）により求めた絵柄面積率の平均値を上記相関関係に照らすことによってバルブ開度を設定し、このバルブ開度に応じた流量のエアをエアノズル（７ａ，７ｂ，７ｃ，７ｄ，７ｅ，７ｆ，７ｇ）から吐出させるエア流量制御手段（１２）とを具備したことを特徴とする。
【００１９】
請求項９に記載されるように、請求項８に記載の枚葉印刷機の給紙装置において、エアノズル（７ｄ，７ｅ，７ｆ，７ｇ）が枚葉印刷機のギアサイドとマンサイドとに各々配置され、絵柄面積率算出手段（１３）により求められたギアサイドとマンサイドの各絵柄面積率の平均値が上記相関関係に照らされることによってバルブ開度が設定され、各開度に応じた流量のエアがギアサイドのエアノズル（７ｄ，７ｅ）とマンサイドのエアノズル（７ｆ，７ｇ）から各々吐出されるようにしたものとすることも可能である。
【００２０】
請求項１０に記載されるように、請求項８又は請求項９に記載の枚葉印刷機の給紙装置において、絵柄面積率算出手段（１３）により上記相関関係が個々のバルブ（１２ａ，１２ｂ，１２ｃ，１２ｄ，１２ｅ，１２ｆ，１２ｇ）毎に予め求められ、今回給紙する枚葉紙（ｐ）について絵柄面積率算出手段（１３）により求められた絵柄面積率の平均値が各バルブ（１２ａ，１２ｂ，１２ｃ，１２ｄ，１２ｅ，１２ｆ，１２ｇ）についての相関関係に照らされることによって各バルブ開度が設定されるようにしたものとすることも可能である。
【００２１】
請求項１１に記載されるように、請求項８乃至請求項１０のいずれかに記載の枚葉印刷機の給紙装置において、絵柄面積率算出手段（１３）により上記相関関係が枚葉紙（ｐ）の紙種別に予め求められ、今回給紙する枚葉紙（ｐ）について絵柄面積率算出手段（１３）により求められた絵柄面積率の平均値が枚葉紙（ｐ）の紙種に対応する相関関係に照らされることによってバルブ開度を設定されるようにしたものとすることも可能である。
【００２２】
請求項１２に記載されるように、請求項８乃至請求項１０のいずれかに記載の枚葉印刷機の給紙装置において、絵柄面積率算出手段（１３）により上記相関関係が枚葉紙（ｐ）のサイズ毎に予め求められ、今回給紙する枚葉紙（ｐ）について絵柄面積率算出手段（１３）により求められた絵柄面積率の平均値が枚葉紙（ｐ）のサイズに対応する相関関係に照らされることによってバルブ開度が設定されるようにしたものとすることも可能である。
【００２３】
請求項１３に記載されるように、請求項８乃至請求項１０のいずれかに記載の枚葉印刷機の給紙装置において、絵柄面積率算出手段により上記相関関係が枚葉紙（ｐ）の斤量別に予め求められ、今回給紙する枚葉紙（ｐ）について絵柄面積率算出手段（１３）により求められた絵柄面積率の平均値が枚葉紙（ｐ）の斤量に対応する相関関係に照らされることによってバルブ開度が設定されるようにしたものとすることも可能である。
【００２４】
請求項１４に記載されるように、請求項８乃至請求項１０のいずれかに記載の枚葉印刷機の給紙装置において、絵柄面積率算出手段（１３）により上記相関関係が枚葉紙（ｐ）の紙目別に予め求められ、今回給紙する枚葉紙（ｐ）について絵柄面積率算出手段（１３）により求められた絵柄面積率の平均値が枚葉紙（ｐ）の紙目に対応する相関関係に照らされることによってバルブ開度が設定されるようにしたものとすることも可能である。
【発明の効果】
【００２５】
本発明によれば、山状に積まれた裏面印刷済み枚葉紙（ｐ）をその最上層のものから下層のものへと順に印刷部（２６）へと給紙する際に、枚葉紙（ｐ）の山に向かってエアノズル（７ａ，７ｂ，７ｃ，７ｄ，７ｅ，７ｆ，７ｇ）からエアを吐出させる枚葉印刷機の給紙方法において、給紙方向に所定幅毎に測定した絵柄面積率の平均値と、適正な給紙に必要な上記エアの流量を得るためのバルブ開度との相関関係を予め求めておき、今回給紙する枚葉紙（ｐ）についての絵柄面積率の平均値を上記相関関係に照らすことによってバルブ開度を設定し、このバルブ開度に応じた流量のエアをエアノズル（７ａ，７ｂ，７ｃ，７ｄ，７ｅ，７ｆ，７ｇ）から吐出させつつ給紙するようにしたことから、裏面に印刷された枚葉紙（ｐ）を給紙する場合であっても、エアノズル（７ａ，７ｂ，７ｃ，７ｄ，７ｅ，７ｆ，７ｇ）から吐出するエアの流量を簡易かつ迅速に調整し、適正な給紙を速やかに達成することができる。従って、印刷品目の切り替え時間及び給紙部の緊急停止時間といった時間ロスを削減し、印刷効率をさらに高めることができる。
【図面の簡単な説明】
【００２６】
【図１】枚葉印刷機における給紙装置の概略正面図である。
【図２】給紙装置内に積まれた枚葉紙の山及びその周辺部の概略平面図である。
【図３】給紙装置のエアノズルへのエア流を調整するための装置を示すブロック図である。
【図４】バルブ開度と絵柄面積率の関係を示すグラフである。
【図５】今回給紙しようとする一の種類の枚葉紙における裏面にすでに印刷された絵柄の面積率とインキキー番号との関係を示すグラフである。
【図６】今回給紙しようとする他の種類の枚葉紙における裏面にすでに印刷された絵柄の面積率とインキキー番号との関係を示すグラフである。
【発明を実施するための形態】
【００２７】
以下に本発明を実施するための形態について説明する。
【００２８】
図１に示すように、枚葉印刷機の給紙装置は、そのフレーム１内にチェーン２により吊り下げられたフィーダーパイルボード３を有する。フィーダーパイルボード３上には、多数の枚葉紙ｐが山状に積み上げられている。
【００２９】
また、フレーム１内における枚葉紙ｐの山Ｐの頂の近傍には、最上層の枚葉紙ｐから順にフィーダーボード４側へ送り出す送り出し部５が設けられる。図１及び図２に示すように、送り出し部５は、枚葉紙ｐの山Ｐの上側に配置された第一及び第二のサッカー６ａ，６ｂを具備する。
【００３０】
また、この枚葉印刷機の給紙装置は、フィーダーパイルボード３上に山状に積まれた枚葉紙ｐをその最上層のものから下層のものへと順に印刷部２６（図３参照）へと給紙する際に、枚葉紙ｐの山Ｐに複数個のエアノズル７ａ，７ｂ，７ｃ，７ｄ，７ｅ，７ｆ，７ｇからエアを吹き付けることにより、給紙の適正化を図るようになっている。
【００３１】
すなわち、枚葉紙ｐの山Ｐの頂の近傍であって、枚葉紙ｐの送り出し側である前辺と反対側の後辺には、第一、第二及び第三のエアノズル７ａ，７ｂ，７ｃが配置され、枚葉紙ｐの前辺を両側から挟む側辺には、第四乃至第七のエアノズル７ｄ，７ｅ，７ｆ，７ｇが二基ずつ配置される。エアノズル７ａ，７ｂ，７ｃ，７ｄ，７ｅ，７ｆ，７ｇの各々にはエア流量を調節するためのバルブ１２ａ，１２ｂ，１２ｃ，１２ｄ，１２ｅ，１２ｆ，１２ｇが設けられる。
【００３２】
その他、図２に示すように、枚葉紙ｐの山Ｐの後辺に対し、紙押え２０、二枚差し防止ブラシ２１、二枚差し防止バネ２２が設けられ、両側辺に対し、端ガイド２３が各々設けられる。
【００３３】
最上層の枚葉紙ｐを印刷部２６へと送り出すに際し、まず、第一のサッカー６ａが上下方向に一往復動して最上層の枚葉紙ｐを持ち上げる。第一、第二及び第三のエアノズル７ａ，７ｂ，７ｃからは、エアが枚葉紙ｐの山Ｐにおける後辺に常時吹き付けられ、最上層の枚葉紙ｐは第一のサッカー６ａによって持ち上げられる。
【００３４】
第一のサッカー６ａが最上層の枚葉紙ｐを持ち上げると、第二のサッカー６ｂが第一のサッカー６ａから枚葉紙ｐを受け取って枚葉紙ｐの山Ｐからフィーダーボード４側へ送り出す。第四乃至第七のエアノズル７ｄ，７ｅ，７ｆ，７ｇからは、エアが枚葉紙ｐの山Ｐにおける両側辺に常時吹き付けられ、最上層の枚葉紙ｐは第二のサッカー６ｂによって持ち上げられる。
【００３５】
送り出し部５によって枚葉紙ｐの山Ｐから枚葉紙ｐが一枚ずつ順に送り出されると、枚葉紙ｐの山Ｐが低くなるが、その都度上記チェーン２が巻き上げられて枚葉紙ｐの最上層の位置が常時一定の高さに保持される。
【００３６】
図１に示すように、フレーム１における枚葉紙ｐの山Ｐの前辺と印刷部２６との間には、フィーダーボード４が配置される。フィーダーボード４の上流側には二本のシャフト８ａ，９ａが配置され、下流側には一本のシャフト９ｂが配置される。
【００３７】
上流側の二本のシャフト８ａ，９ａのうち枚葉紙ｐの山Ｐ側のシャフト８ａには、丸棒状のフィーディングローラ８が設けられる。このフィーディングローラ８には、枚葉紙ｐを挟み込むために、その上側からコロ状の押えローラ１０が接する。
【００３８】
また、フィーダーボード４の上流側の他のシャフト９ａと下流側のシャフト９ｂとの間には、テンションローラ等を介して無端ベルト９が複数本巻回される。無端ベルト９の上側走行部はフィーダーボード４の上面側を通り、下側走行部はフィーダーボード４の下面側を通る。両シャフト９ａ，９ｂの回転により、無端ベルト９の上側走行部はフィーダーボード４の上流側から下流側へと走行可能である。無端ベルト９の上側走行部にはその上側から遊びローラ１１が接する。
【００３９】
上記第二のサッカー６ｂにより送り出された枚葉紙ｐは、フィーディングローラ８と押えローラ１０との間に引き込まれ、続いて無端ベルト９と遊びローラ１１との間に引き込まれつつフィーダーボード４上から印刷部２６へと搬送され、印刷に供される。
【００４０】
上述したように、枚葉紙ｐの裏面にすでに印刷がされている場合は、印刷された絵柄の面積率に比例するように枚葉紙ｐに紙癖が発生している。従って、裏面に印刷された枚葉紙ｐの山Ｐから枚葉紙ｐを印刷部２６へと送り出す場合は、この裏面印刷による紙癖に基づき上記各種エアノズル７ａ，７ｂ，７ｃ，７ｄ，７ｅ，７ｆ，７ｇのエア量の調整を行って給紙の適正化を図る必要がある。
【００４１】
そこで、枚葉印刷機には、次に述べるようなエア量プリセット装置が設けられる。
【００４２】
図３に示すように、このエア量プリセット装置は、給紙方向に所定幅毎に測定した絵柄面積率の平均値を求める絵柄面積率算出手段１３と、絵柄面積率算出手段１３により求めた絵柄面積率の平均値と適正な給紙に必要な上記エアの流量を得るためのバルブ開度との相関関係を求めるバルブ開度特性線設定手段１４と、今回給紙する枚葉紙ｐについて絵柄面積率算出手段１３により求めた絵柄面積率の平均値を上記相関関係に照らすことによってバルブ開度を設定し、このバルブ開度に応じた流量のエアをエアノズル７ａ，７ｂ，７ｃ，７ｄ，７ｅ，７ｆ，７ｇから吐出させるエア流量制御手段１２とを具備する。
【００４３】
図２に示すように、上記各種エアノズル７ａ，７ｂ，７ｃ，７ｄ，７ｅ，７ｆ，７ｇには、エア流量制御手段１２として、エアの流量を無段階で調整可能な上記バルブ１２ａ，１２ｂ，１２ｃ，１２ｄ，１２ｅ，１２ｆ，１２ｇが各々設けられる。各バルブ１２ａ，１２ｂ，１２ｃ，１２ｄ，１２ｅ，１２ｆ，１２ｇの開度が自動的に調節されることにより、各エアノズル７ａ，７ｂ，７ｃ，７ｄ，７ｅ，７ｆ，７ｇから吐出されるエアの流量が細かく調整される。枚葉印刷機が設置される印刷工場内にはエア供給源２４が設けられ、このエア供給源２４から各エアノズル７ａ，７ｂ，７ｃ，７ｄ，７ｅ，７ｆ，７ｇ及びバルブ１２ａ，１２ｂ，１２ｃ，１２ｄ，１２ｅ，１２ｆ，１２ｇへと配管２５が伸びている。
【００４４】
絵柄面積率算出手段１３は、枚葉紙ｐをその給紙方向に所定幅毎、例えば印刷部２６におけるインキキーの幅毎に区切り、各幅毎に絵柄面積率を測定することができる装置で構成される。この絵柄面積率測定装置は枚葉印刷機に組み込まれた状態で使用される。絵柄面積率測定装置の構造は公知であるから、その詳細な説明は省略する。
【００４５】
絵柄面積率測定装置に印刷絵柄の製版データが入力されることにより、枚葉紙ｐにおける所定幅毎の絵柄面積率が算出され、さらには絵柄面積率の平均値が算出される。印刷絵柄は、多色刷り印刷の場合は全色が印刷された後の絵柄である。製版データとしては、原稿フィルム１９のほか、刷版、印刷済み枚葉紙等を用いることができる。
【００４６】
バルブ開度特性線設定手段１４は、図４に示すような絵柄面積率とバルブ開度との相関関係を表すデータを得るための装置である。
【００４７】
このバルブ開度特性線設定手段１４には、図３に示すように、情報取得手段１５と、記憶装置１６と、演算手段１７とが付設される。
【００４８】
情報取得手段１５は、枚葉印刷機から各種印刷情報データを取得するためのもので、記憶装置１６は、情報取得手段１５から送られてくる各種印刷情報データを記憶するようになっている。
【００４９】
各種印刷情報データには、各バルブ１２ａ，１２ｂ，１２ｃ，１２ｄ，１２ｅ，１２ｆ，１２ｇのプリセット値、良品生産時のバルブ開度操作データ、インキキー領域ごとの絵柄面積率情報、枚葉紙ｐのサイズ・斤量・銘柄・紙目、印刷の品目名・日時・オペレータ名等が含まれる。
【００５０】
図４に示すグラフの曲線Ａは、絵柄面積率算出手段１３により求めた絵柄面積率の平均値と適正な給紙に必要なエアの流量を得るためのバルブ開度との相関関係を表すバルブ開度特性線である。このバルブ開度特性線Ａは、上記各種印刷情報データが情報取得手段１５により記憶装置１６に送られて蓄積され、記憶装置１６に蓄積された各種印刷情報データを元に演算手段１７により各種演算がなされることにより求められる。
【００５１】
図４のバルブ開度特性線Ａは、例えば全エアノズル７ａ，７ｂ，７ｃ，７ｄ，７ｅ，７ｆ，７ｇのバルブ１２ａ，１２ｂ，１２ｃ，１２ｄ，１２ｅ，１２ｆ，１２ｇを一律の開度に設定して求めたものである。このバルブ開度特性線Ａは、上記絵柄面積率算出手段１３によって得ることができる各種絵柄面積率の平均値と、適正な給紙に必要な上記エアノズル７ａ，７ｂ，７ｃ，７ｄ，７ｅ，７ｆ，７ｇにおけるエアの流量を得るためのバルブ開度との相関関係が、上記演算手段１７によって演算されることによって求められる。
【００５２】
このバルブ開度特性線Ａが、同様な演算処理によって枚葉紙ｐの紙種毎、枚葉紙のサイズ毎、枚葉紙の斤量毎、枚葉紙ｐの紙目毎等、所望の項目ごとに求められる（図示せず）（以下、第一種のバルブ開度特性線という。）。
【００５３】
また、同様なバルブ開度特性線が、同様な演算処理によってバルブ１２ａ，１２ｂ，１２ｃ，１２ｄ，１２ｅ，１２ｆ，１２ｇ毎に求められる（図示せず）（以下、第二種のバルブ開度特性線という。）。
【００５４】
この第二種のバルブ開度特性線は、枚葉印刷機のギアサイドに配置されたエアノズル７ｄ，７ｅのグループのバルブ１２ｄ，１２ｅと、マンサイドに配置されたエアノズル７ｆ，７ｇのグループのバルブ１２ｆ，１２ｇ毎に求めることも可能である。
【００５５】
上記バルブ開度特性線設定手段１４には、上記第一種のバルブ開度特性線が蓄積される。
【００５６】
また、上記バルブ開度特性線設定手段１４には、バルブ特性設定手段１８が付設され、このバルブ特性設定手段１８に上記第二種のバルブ開度特性線が蓄積される。
【００５７】
次に、上記枚葉印刷機の給紙装置による枚葉紙ｐの給紙方法を、複数の態様に分けて説明する。
【００５８】
＜態様１＞
枚葉印刷機のエア量プリセット装置における絵柄面積率算出手段１３により、給紙方向に所定幅毎に測定した絵柄面積率の平均値が、各種製版データに基づいて予め求められる。
【００５９】
また、上記各種製版データに対応する絵柄が裏面に印刷された枚葉紙ｐが、枚葉印刷機の給紙装置から印刷部２６へと給紙され、その際正常な給紙が行われる場合の全エアノズル７ａ，７ｂ，７ｃ，７ｄ，７ｅ，７ｆ，７ｇに共通の開度が計測される。
【００６０】
上記絵柄面積率の平均値と上記全エアノズル７ａ，７ｂ，７ｃ，７ｄ，７ｅ，７ｆ，７ｇに共通の開度とが、情報取得手段１５によって記憶装置１６に取り込まれ、演算手段１７により所定の演算が行われて、図４に示すような絵柄面積率とバルブ開度との相関関係を示すバルブ開度特性線Ａが求められる。また、同様にして他のバルブ開度特性線が、枚葉紙の紙種毎、サイズ毎、斤量毎、紙目毎に求められる（図示せず）。さらには、必要に応じてその他の事項毎に求められる（図示せず）（第一種のバルブ開度特性線）。
【００６１】
上記のごとく演算された各種のバルブ開度特性線は、バルブ開度特性線設定手段１４に蓄積される。
【００６２】
今回の印刷を行う場合、すでに枚葉紙ｐの裏面には所定の絵柄が印刷されている。この絵柄の面積率が絵柄面積率算出手段１３により算出され、情報取得手段１５を介して記憶装置１６に取り込まれ、演算手段１７によって絵柄面積率の平均値が求められる。
【００６３】
この絵柄面積率の平均値が、バルブ開度特性線設定手段１４において例えば図４に示したバルブ開度特性線Ａに照らされることにより、望ましいバルブ開度が求められる。
【００６４】
また、絵柄面積率とバルブ開度との関係を示すバルブ開度特性線が、上述したように枚葉紙ｐの紙種毎等に用意されている場合は、例えば、今回印刷に供される枚葉紙ｐの紙種に対応したバルブ開度特性線（図示せず）が選定される。
【００６５】
この選定されたバルブ開度の信号が、エア流量制御手段１２である全エアノズル７ａ，７ｂ，７ｃ，７ｄ，７ｅ，７ｆ，７ｇのバルブ１２ａ，１２ｂ，１２ｃ，１２ｄ，１２ｅ，１２ｆ，１２ｇへと送られ、全バルブ１２ａ，１２ｂ，１２ｃ，１２ｄ，１２ｅ，１２ｆ，１２ｇが上記開度に設定される。そして、給紙装置内にセットされた今回印刷される枚葉紙ｐの山Ｐに向かって、エア供給源２４から供給されるエアが各エアノズル７ａ，７ｂ，７ｃ，７ｄ，７ｅ，７ｆ，７ｇから吹き付けられる。
【００６６】
枚葉紙ｐの裏面にはすでに印刷されているが、上記予め調整された流量のエアがエアノズル７ａ，７ｂ，７ｃ，７ｄ，７ｅ，７ｆ，７ｇから吹き付けられるので、枚葉紙ｐは円滑に給紙装置から印刷部２６へと送られる。
【００６７】
＜態様２＞
上記態様１の場合と同様にして、図４に示すような絵柄面積率とバルブ開度との相関関係を示すバルブ開度特性線Ａが求められる。
【００６８】
また、他のバルブ開度特性線が、枚葉紙の紙種毎、サイズ毎、斤量毎、紙目毎に求められる。さらには、必要に応じてその他の事項毎に求められる。
【００６９】
上記のごとく演算された各種バルブ開度特性線は、第一種のバルブ開度特性線としてバルブ開度特性線設定手段１４に蓄積される。
【００７０】
また、上記各種エアノズル７ａ，７ｂ，７ｃ，７ｄ，７ｅ，７ｆ，７ｇの各々について割り当てられたバルブ１２ａ，１２ｂ，１２ｃ，１２ｄ，１２ｅ，１２ｆ，１２ｇに関し、バルブ１２ａ，１２ｂ，１２ｃ，１２ｄ，１２ｅ，１２ｆ，１２ｇ毎に上記第二種のバルブ開度特性線が求められ、これらがバルブ特性設定手段１８に蓄積される。
【００７１】
今回の印刷を行う場合、すでに枚葉紙ｐの裏面には所定の絵柄が印刷されている。この絵柄の面積率が絵柄面積率算出手段１３により算出され、情報取得手段１５を介して記憶装置１６に取り込まれ、例えば図５に示す結果が得られる。
【００７２】
図５から明らかなように、この絵柄面積率は、幅方向に偏りがあり、ギアサイドからマンサイドへ向かうにつれて絵柄面積率が増加している。この枚葉紙ｐの裏面全体における絵柄面積率は、表１に記載されるように、１６％として演算される。
【００７３】
【表１】
2016130158.tif 000003
【００７４】
図５の絵柄面積率の平均値（１６％）が、例えば図４に示す上記第一種のバルブ開度特性線Ａによって示される相関関係に照らされることにより、全エアノズル７ａ，７ｂ，７ｃ，７ｄ，７ｅ，７ｆ，７ｇのバルブ１２ａ，１２ｂ，１２ｃ，１２ｄ，１２ｅ，１２ｆ，１２ｇの開度が演算される。このバルブ１２ａ，１２ｂ，１２ｃ，１２ｄ，１２ｅ，１２ｆ，１２ｇの開度は、表２に示すように、３７％として求められる。
【００７５】
なお、第一種のバルブ開度特性線は、図４に示すバルブ開度特性線Ａに限らず、例えば今回給紙される枚葉紙ｐの紙質に対応したものを選定することも可能である。
【００７６】
【表２】
2016130158.tif 000004
【００７７】
このバルブの開度（３７％）の情報が、エア流量制御手段１２である全エアノズル７ａ，７ｂ，７ｃ，７ｄ，７ｅ，７ｆ，７ｇのバルブ１２ａ，１２ｂ，１２ｃ，１２ｄ，１２ｅ，１２ｆ，１２ｇへと送られ、全バルブ１２ａ，１２ｂ，１２ｃ，１２ｄ，１２ｅ，１２ｆ，１２ｇが対応する開度でエアの通り道を開く。
【００７８】
また、この図５に示す絵柄面積率から、演算手段１７によってギアサイド（ＧＳ）とマンサイド（ＭＳ）の各絵柄面積率の平均値が求められる。その結果は表１に示す通り、各々７％、２７％である。
【００７９】
表１のマンサイドとギアサイドの各平均絵柄面積率が、上記第二種のバルブ開度特性線によって示される相関関係に各々照らされることにより、マンサイドのエアノズル７ｆ，７ｇのグループにおけるバルブ１２ｆ，１２ｇの開度とギアサイドのエアノズル７ｄ，７ｅグループにおけるバルブ１２ｄ，１２ｅの開度とが演算される。仮に、第二種のバルブ開度特性線が図４に示した第一種のバルブ開度特性線Ａと同じもので足りるとすれば、その結果は表２に示すとおり、各々１９％、５５％である。
【００８０】
なお、第二種のバルブ開度特性線は、図４に示すバルブ開度特性線Ａに限らず、例えば今回給紙される枚葉紙ｐのサイズに対応したものを選定してもよい。
【００８１】
このバルブ１２ａ，１２ｂ，１２ｃ，１２ｄ，１２ｅ，１２ｆ，１２ｇの開度に対応する情報（１９％、５５％）が、エア流量制御手段１２であるマンサイドのエアノズル７ｆ，７ｇのグループにおけるバルブ１２ｆ，１２ｇとギアサイドのエアノズル７ｄ，７ｅのグループのバルブ１２ｄ，１２ｅへ各々送られる。その結果、上記第一種のバルブ開度特性線Ａに基づいて設定されたバルブ１２ａ，１２ｂ，１２ｃ，１２ｄ，１２ｅ，１２ｆ，１２ｇの開度が、エアノズルのグループ毎に補正される。
【００８２】
これにより、給紙装置内にセットされた今回印刷される枚葉紙ｐの山Ｐに向かって、エア供給源２４から供給されるエアがマンサイドとギアサイドの各エアノズルから所定の流量で吹き付けられる。
【００８３】
なお、枚葉紙のくわえ側のエアノズル７ａ，７ｂ，７ｃからは、第一種のバルブ開度特性線Ａに基づいて得られたバルブ開度（３７％）に対応した流量のエアが吐出される。
【００８４】
枚葉紙ｐの裏面にはすでに印刷されているが、上記予め調整された流量のエアが各エアノズル７ａ，７ｂ，７ｃ，７ｄ，７ｅ，７ｆ，７ｇから吹き付けられるので、枚葉紙ｐは円滑に給紙装置から印刷部２６へと送られる。
【００８５】
＜態様３＞
上記態様１の場合と同様にして、図４に示すような絵柄面積率とバルブ開度との相関関係を示すバルブ開度特性線Ａが求められる。
【００８６】
また、同様にして他のバルブ開度特性線が、枚葉紙ｐの紙種毎、サイズ毎、斤量毎、紙目毎に求められる。さらには、必要に応じてその他の事項毎に求められる。
【００８７】
上記のごとく演算されたバルブ開度特性線は、第一種のバルブ開度特性線としてバルブ開度特性線設定手段１４に蓄積される。
【００８８】
また、上記各種エアノズル７ａ，７ｂ，７ｃ，７ｄ，７ｅ，７ｆ，７ｇの各々についてあてがわれたバルブ１２ａ，１２ｂ，１２ｃ，１２ｄ，１２ｅ，１２ｆ，１２ｇに関し、バルブ１２ａ，１２ｂ，１２ｃ，１２ｄ，１２ｅ，１２ｆ，１２ｇ毎に上記第二種のバルブ開度特性線が求められ、これらがバルブ特性設定手段１８に蓄積される。
【００８９】
今回の印刷を行う場合、すでに枚葉紙ｐの裏面には所定の絵柄が印刷されている。この絵柄の面積率が絵柄面積率算出手段１３により算出され、情報取得手段１５を介して記憶装置１６に取り込まれ、図６に示す結果が得られたものとする。
【００９０】
図６から明らかなように、この絵柄面積率は、幅方向すなわちギアサイドとマンサイドとの間での偏りが小さい。この枚葉紙ｐの裏面全体における絵柄面積率は、表３に記載されるように、２４％として演算される。
【００９１】
【表３】
2016130158.tif 000005
【００９２】
この図６の絵柄面積率の平均値（２４％）が例えば図４に示す上記第一種のバルブ開度特性線Ａによって示される相関関係に照らされることにより、全エアノズル７ａ，７ｂ，７ｃ，７ｄ，７ｅ，７ｆ，７ｇのバルブ１２ａ，１２ｂ，１２ｃ，１２ｄ，１２ｅ，１２ｆ，１２ｇの開度が演算される。このバルブ１２ａ，１２ｂ，１２ｃ，１２ｄ，１２ｅ，１２ｆ，１２ｇの開度は、表４に示すように、５０％として求められる。
【００９３】
なお、第一種のバルブ開度特性線は、図４に示すものに限らず、例えば今回給紙される枚葉紙のサイズに対応したものを選定することも可能である。
【００９４】
【表４】
2016130158.tif 000006
【００９５】
このバルブの開度（５０％）に対応する情報が、エア流量制御手段１２である全エアノズル７ａ，７ｂ，７ｃ，７ｄ，７ｅ，７ｆ，７ｇのバルブ１２ａ，１２ｂ，１２ｃ，１２ｄ，１２ｅ，１２ｆ，１２ｇへと送られ、全バルブ１２ａ，１２ｂ，１２ｃ，１２ｄ，１２ｅ，１２ｆ，１２ｇが対応する開度でエアの通り道を開く。
【００９６】
また、この図６に示す絵柄面積率から、演算手段１７によってギアサイド（ＧＳ）とマンサイド（ＭＳ）の各絵柄面積率の平均値が求められる。その結果は表３に示す通り、各々２３％、２５％である。
【００９７】
表３のマンサイドとギアサイドの各平均絵柄面積率が、上記第二種のバルブ開度特性線によって示される相関関係に各々照らされることにより、マンサイドのエアノズル７ｆ，７ｇのグループにおけるバルブ１２ｆ，１２ｇの開度とギアサイドのエアノズル７ｄ，７ｅのグループにおけるバルブ１２ｄ，１２ｅの開度とが演算される。仮に、第二種のバルブ開度特性線が図４に示した第一種のバルブ開度特性線Ａと同じもので足りるとすれば、その結果は表４に示すとおり、各々４８％、５２％である。
【００９８】
なお、第二種のバルブ開度特性線としては、図４に示すものに限らず、例えば今回給紙される枚葉紙の紙質に対応したものを選定してもよい。
【００９９】
このバルブ１２ａ，１２ｂ，１２ｃ，１２ｄ，１２ｅ，１２ｆ，１２ｇの開度に対応する情報（４８％、５２％）が、エア流量制御手段であるマンサイドのエアノズル７ｆ，７ｇグループにおけるバルブ１２ｆ，１２ｇとギアサイドのエアノズル７ｄ，７ｅのグループにおけるバルブ１２ｄ，１２ｅへ各々送られる。その結果、上記第一種のバルブ開度特性線Ａに基づいて設定されたバルブ１２ａ，１２ｂ，１２ｃ，１２ｄ，１２ｅ，１２ｆ，１２ｇの開度が、マンサイドとギアサイドのエアノズルグループ毎に補正される。
【０１００】
これにより、給紙装置内にセットされた今回印刷される枚葉紙ｐの山Ｐに向かって、エア供給源２４から供給されるエアがマンサイドとギアサイドの各エアノズル７ａ，７ｂ，７ｃ，７ｄ，７ｅ，７ｆ，７ｇから所定の流量で吹き付けられる。
【０１０１】
なお、枚葉紙ｐの後辺側のエアノズル７ａ，７ｂ，７ｃからは、第一種のバルブ開度特性線Ａに基づいて得られたバルブ開度（５０％）に対応した流量のエアが吐出される。
【０１０２】
枚葉紙ｐの裏面にはすでに印刷されているが、上記予め裏面の絵柄面積率に応じて調整された流量のエアが各エアノズル７ａ，７ｂ，７ｃ，７ｄ，７ｅ，７ｆ，７ｇから吹き付けられるので、枚葉紙ｐは円滑に給紙装置から印刷部２６へと送られる。
【符号の説明】
【０１０３】
ｐ…枚葉紙
Ｐ…枚葉紙の山
７ａ，７ｂ，７ｃ，７ｄ，７ｅ，７ｆ，７ｇ…エアノズル
１２…エア流量制御手段
１２ａ，１２ｂ，１２ｃ，１２ｄ，１２ｅ，１２ｆ，１２ｇ…バルブ
１３…絵柄面積率算出手段
２６…印刷部
【図１】
2016130158.tif 000007
【図２】
2016130158.tif 000008
【図３】
2016130158.tif 000009
【図４】
2016130158.tif 000010
【図５】
2016130158.tif 000011
【図６】
2016130158.tif 000012